(57)【要約】  エアゾール製品の定量噴射バルブ内の定量室をより大きなものとし、１噴射動作で定量室内の内容物の全体が一度に外部に噴射できるようにする。エアゾール原液と噴射剤から成る内容物を収容したエアゾール容器と、このエアゾール容器の一端に設けられ、内部に定量室（１５）を有する定量噴射バルブ（１０）と、この定量噴射バルブ（１０）のバルブステム（１２）に接続する噴射機構とから成るエアゾール製品であって、前記定量室（１５）が少なくとも２つの小室から形成されて各小室が連通路（１５ｔ）を介して連通され、前記エアゾール原液が粉末を含有する。
2019111961.tif 000002
【特許請求の範囲】
【請求項１】
エアゾール原液と噴射剤から成る内容物を収容したエアゾール容器と、このエアゾール容器の一端に設けられ、内部に定量室を有する定量噴射バルブと、この定量噴射バルブのバルブステムに接続する噴射機構とから成るエアゾール製品であって、
前記定量室が少なくとも２つの小室から形成されて各小室が連通路を介して連通され、
前記エアゾール原液が粉末を含有する定量噴射型エアゾール製品。
【請求項２】
前記定量室の内容積が０．８ｍＬ以上である、請求項１に記載の定量噴射型エアゾール製品。
【請求項３】
前記粉末が、無水ケイ酸及びシクロデキストリンからなる群から選択される少なくとも１つの粉末である、請求項１又は２に記載の定量噴射型エアゾール製品。
【請求項４】
前記粉末の含有量が、前記エアゾール原液中０．５ｗ／ｖ％以下である、請求項１〜３の何れか１項に記載の定量噴射型エアゾール製品。
【請求項５】
前記定量室の少なくとも２つの小室が前記定量噴射バルブの軸方向の一端側と他端側に配置され、その他端側に位置する小室がさらに内側と外側の２つの区画室に区分されて連通している、請求項１〜４の何れか１項に記載の定量噴射型エアゾール製品。
【請求項６】
前記定量室の、前記定量噴射バルブの軸方向の一端側に位置する小室の壁面部に内容液の充填用バルブを設けた、請求項５に記載の定量噴射型エアゾール製品。
【発明の詳細な説明】
【技術分野】
【０００１】
本発明は、内部に定量室を有する定量噴射バルブを備えたエアゾール容器の内部にエアゾール原液と噴射剤とを収容した定量噴射型エアゾール製品に関する。
【背景技術】
【０００２】
従来、定量噴射バルブを備えるエアゾール製品は多種多様に存在しており、これらの例として下記特許文献に記載のものを挙げることができる。【０００３】
特許文献１に記載の「定量噴射バルブ装置およびそれを備えるエアゾール式噴射器」にあっては、定量室の大きさを安価に変えることができるようにすることを課題とする。【０００４】
その構成は、定量噴射バルブ装置に、金属製のバルブ装置本体を設け、その装置本体には、筒状で中心に下向きに突出するステム収納部を形成し、ステム収納部内には、ステムの下端部を収納する。そして、ステム収納部の底部に中心孔を形成し、その下部を定量タンク内に圧入する。これにより、バルブ装置本体に定量タンクが取り付けられ、定量室が区画される。これにより１噴射操作ごとに、この定量室内の内容物をステム内を通して噴射することができる。１噴射操作ごとの噴射量を変更したいときには、定量タンクを別の形状のものと取り換えて定量室の大きさを変えることができる。【０００５】
特許文献２に記載の「定量噴射バルブ機構および、この定量噴射バルブ機構を備えたエアゾール式製品」にあっては、既存のバルブ機構の構成要素をそのまま利用しながら、当該定量噴射バルブ機構の定量室容積の自由度を確保することを課題とする。【０００６】
その構成は、ハウジングの外部に上カバー体および下カバー体よりなる付加ユニットを取り付けたものからなる。ステムが下方に押圧されると、ステムの下端に接続されたステム延長用部材のシール作用面が内容物流入口を閉塞し、付加ユニットとハウジングの内部に定量室が形成される。さらにステムが押圧されると孔部（連通横孔／オリフィス）がステムラバーより下方に移動するので、ステムの内部通路域と定量室とが連通して定量室内容物が放出される。ステムの押圧を解除すると、当該連通状態が解除されて、内容物流入口が開放されるので、容器本体の内容物が内容物流入口より定量室空間域に流入することができる。【０００７】
従来使用されている定量噴射型エアゾール製品は、噴射量が０．１〜０．４ｍＬ程度であって、使用時の使用実感が十分ではなく、使用者が過剰に噴射してしまうという問題があった。そこで相当量の噴射量により使用実感が十分に得られ、また過剰噴射を防止できる定量噴射型エアゾール製品が求められている。或いは、前記エアゾール製品にあっては、その内容物の種類により、所定量の噴射量、例えば、１．０ｍＬ以上の噴射量を１回で噴射することが求められているものもある。【０００８】
この課題を解決するために、本出願人は、先に定量室の内容量を大きくしたエアゾール定量バルブを提案している（特許文献３）。【０００９】
この特許文献３に記載の発明は、エアゾール容器の上端マウンティングカップの略中央部に設けられたエアゾールバルブであって、ハウジングと、前記ハウジング内に上端部から嵌入するバルブステムと、前記ハウジングの下端部に設けられた容器内の内容物を吸い上げるチューブと、前記ハウジング内に設けられた定量室と、前記バルブステムを常に上方に付勢する付勢部材とからなり、不使用時に定量室内に貯留している内容物が、前記バルブステムを押下することにより、内容物の流通路が閉鎖されて一定量の内容物が噴射されるエアゾール定量バルブにおいて、前記定量室が前記付勢部材の下方に配置され、前記ハウジングの外径よりも大きい外径を有する略円筒形状に形成され、且つ、前記定量室が内側の内側定量室とその外側の外側定量室とからなり、これら内側定量室と外側定量室が当該定量室の天部から下方に垂下する環状仕切壁によって仕切られ、当該環状仕切壁の下端部で両内側定量室と外側定量室とが連通していることを特徴とする。
上記のように、定量室を内側定量室と外側定量室の２室に形成することによりその全体の内容積を大きくすることが可能となる。
【先行技術文献】
【特許文献】
【００１０】
【特許文献１】日本国特開２００２−２６４９７８号公報
【特許文献２】日本国特開２００８−２０７８７３号公報
【特許文献３】日本国特開２０１８−０３４８０５号公報
【発明の概要】
【発明が解決しようとする課題】
【００１１】
特許文献３に記載の発明においては、エアゾール定量噴射バルブにおいて、エアゾール容器内の内容物が前記定量室内に流入し且つ排出する通路が前記内側定量室の上端部（バルブステム側）に形成されている。
上記の通り、定量室を内側と外側の２室に構成したことにより、当該定量室内への内容物の流入及び排出のための通路は、内側定量室の上端部に設けられることとなる。【００１２】
特許文献３に記載の発明においては、上記構成により定量室の内容積を極めて大きくすることができたが、この先願発明においては、一つの現象が課題として持ち上がってきた。
即ち、バルブステムに連結する噴射機構（例えば、押下ボタン）を押下する１回の噴射動作により、一定量の多くの内容物を噴射することができるものの、その噴射状態において、一時的に噴射が停止してしまう、一時的に噴射が途切れてしまう、という現象（以下、この噴射の一時停止を以下、「噴射不良」とも呼称する。）が発生する場合がある。すなわち、押下ボタンを最下端まで押下した状態のままで、通常は、定量室内の全ての内容物が外部に噴射又は噴霧されることとなるが、この噴射状態が一時的に停止又は途切れてしまう現象が発生する場合が見られた。【００１３】
その際には、使用者がエアゾール製品全体を振ったり、揺り動かしたりすることにより噴射は再開するが、使用者が中断状態又は中止状態を全量が噴射したものと勘違いする可能性があり、その場合、所期の噴射量の噴射がなされたことにはならない。
従って、一定の所定量を噴射するよう設計されている製品にあっては、上記のような噴射不良は問題となる。【００１４】
そこで、本発明は、エアゾール定量噴射バルブの定量室の内容量を大きくして０．８ｍＬ以上の噴射量を１回で噴射するとともに、噴射不良を低減することを課題とする。
また、定量室内の内容物が全て効率よく、バルブステムの吐出口から吐出できるようにすることも本発明の課題とする。
【課題を解決するための手段】
【００１５】
本発明者らは、上記課題を解決すべく鋭意検討した結果、エアゾール製品内の内容物に粉末を混合することにより、この噴射の噴射不良が減少することを見出し、本発明に至った。【００１６】
すなわち、本発明の第１のものは、エアゾール原液と噴射剤から成る内容物を収容したエアゾール容器と、このエアゾール容器の一端に設けられ、内部に定量室を有する定量噴射バルブと、この定量噴射バルブのバルブステムに接続する噴射機構とから成るエアゾール製品であって、前記定量室が少なくとも２つの小室から形成されて各小室が連通路を介して連通され、前記エアゾール原液が粉末を含有する定量噴射型エアゾール製品である。【００１７】
本発明の第２のものは、上記第１の発明において、前記定量室の内容積が０．８ｍＬ以上である定量噴射型エアゾール製品である。【００１８】
本発明の第３のものは、上記第１又は第２の発明において、前記粉末が、無水ケイ酸及びシクロデキストリンからなる群から選択される少なくとも１つの粉末である定量噴射型エアゾール製品である。【００１９】
本発明の第４のものは、上記第１〜第３の何れか１つの発明において、前記粉末の含有量が、前記エアゾール原液中０．５ｗ／ｖ％（質量／容量％）以下である定量噴射型エアゾール製品である。【００２０】
本発明の第５のものは、上記第１〜第４の何れか１つの発明において、前記定量室の少なくとも２つの小室が前記定量噴射バルブの軸方向の一端側と他端側に配置され、その他端側に位置する小室がさらに内側と外側の２つの区画室に区分されて連通している定量噴射型エアゾール製品である。【００２１】
本発明の第６のものは、上記第５の発明において、前記定量室の、前記定量噴射バルブの軸方向の一端側に位置する小室の壁面部に内容液の充填用バルブを設けた定量噴射型エアゾール製品である。
【発明の効果】
【００２２】
本発明の第１のものにおいては、定量噴射型エアゾール製品において、定量噴射バルブ内の定量室が少なくとも２つの小室から形成されており、その位置関係により、例えば、一方の小室をより大きく設計することができ、当該定量室の内容積をより大きく設計することが可能となる。
そして、定量室から噴射機構の噴口へと一定量の内容物が噴射される際、上記した通り、１回の噴射動作において一時的に噴射が停止してしまう噴射不良が発生することがあるが、本発明においては、エアゾール容器内に収容したエアゾール原液に粉末を含有させるので、この噴射不良を防止できる。【００２３】
本発明の第２のものにおいては、前記定量室の内容積について限定したものである。
即ち、当該内容積（定量室の小室の内容積の合計）を０．８ｍＬ以上に限定した。
本発明においては、当該定量室の内容積を極めて大きく設定することができ、例えば、内容積を０．８ｍＬ乃至１０．０ｍＬ程度の大型のものとすることが可能で、容器のサイズに応じて大きく設定することが可能となる。【００２４】
本発明の第３のものにおいては、エアゾール原液中の粉末を限定したものであり、即ち、その粉末は無水ケイ酸及びシクロデキストリンからなる群から選択される少なくとも１つの粉末が最適なものとなる。【００２５】
本発明の第４のものにおいては、上記粉末の含有量を特定したもので、当該含有量をエアゾール原液中０．５ｗ／ｖ％以下とした。【００２６】
本発明の第５のものにおいては、前記定量室の少なくとも２つの小室が定量噴射バルブの軸方向の一端側と他端側に配置され、その他端側に位置する小室がさらに内側と外側の２つの区画室に区分されて連通していることを特定したものである。なお、一端側とは定量噴射バルブがエアゾール製品に備えられた際に噴射機構側に位置する側であり、他端側はその反対側である。
この発明においては、定量室の構成をより特定したものであり、他端側に位置する小室を内側と外側の２つの区画室に区分することにより、定量室をより大型に形成することができることとなる。【００２７】
本発明の第６のものにおいては、前記定量噴射バルブの定量室の定量噴射バルブの一端側に位置する小室の壁面部に内容液の充填用バルブを設けたことを限定したものであり、上記エアゾール容器に内容物を充填するための充填用バルブを付加したものを権利範囲に含めたものである。
定量室内の密封性を低くすることにより、噴射不良の発生割合を減らすことができる。【００２８】
以上の構成から成る本発明においては、その定量室の内容積をより大きなものとし、問題となっていた噴射不良を排除することができた。
【図面の簡単な説明】
【００２９】
【図１】図１は、本発明の定量噴射型エアゾール製品に用いられる定量噴射バルブの第１実施形態に係る中央縦断面図であって、非作動時及び保管時の状態を示している。
【図２】図２は、上記第１実施形態に係る定量噴射バルブの作動時の状態を示す中央縦断面図である。
【図３】図３は、本発明の第２実施形態に係る定量噴射バルブの中央縦断面図であって、非作動時及び保管時の状態を示している。
【発明を実施するための形態】
【００３０】
以下、添付の図面と共に本発明の実施形態について説明する。
なお、本明細書において、エアゾール製品の軸方向に対して、噴射機構が設けられる側を「一端側」といい、「上方」という場合があり、その反対側を「他端側」といい、「下方」という場合がある。なお、「上」、「下」等の方向は、特段の記載がない限り、図面に示す方向とする。
【００３１】
（第１実施形態）
本発明の定量噴射型エアゾール製品（以下、単に「本発明のエアゾール製品」とも称する。）は、エアゾール原液と噴射剤から成る内容物を収容した、一端に開口部を有するエアゾール容器と、このエアゾール容器の一端に設けられ、内部に定量室を有する定量噴射バルブと、この定量噴射バルブのバルブステムに接続する噴射機構とから成る。
【００３２】
図１は、本発明のエアゾール製品に用いられる定量噴射バルブの一実施形態に係る中央縦断面図であって、非作動時及び保管時の状態を示している。
図２は、上記実施形態に係る作動時の状態を示す中央縦断面図である。
【００３３】
これらの図では、エアゾール容器全体の図示は省略しており、定量噴射バルブ１０と、この定量噴射バルブ１０が配設されるマウンティングカップ２０の部分を図示したものである。マウンティングカップ２０は環状の周縁部を備え、その略中央部に貫通孔を有している。定量噴射バルブ１０はマウンティングカップ２０の貫通孔からバルブステム１２を突出させた状態で、マウンティングカップ２０に配設される。内容物が充填されたエアゾール容器（不図示）の開口部にマウンティングカップ２０の周縁部が加締め止め等により固定され、外方に突出したバルブステム１２に噴射機構（不図示）を外嵌してエアゾール製品を得る。噴射機構を外方から押し下げることによりバルブステム１２が押し下げられ、定量噴射バルブ１０の吐出弁が開き、ガス圧でエアゾール製品内の内容物がバルブステム１２の上端開口から吐出される。
【００３４】
定量噴射バルブ１０は、ハウジング１１と、ハウジング１１の上端部から嵌入するバルブステム１２と、バルブステム１２を常に上方に付勢する付勢部材としてのコイルスプリング１３と、このコイルスプリング１３の下方に配置された定量室１５と、ハウジング１１の下端部１６に接続するディップチューブ１７と、前記コイルスプリング１３の下端に当接したシールド部材１８とを備える。
【００３５】
ディップチューブ１７からハウジング１１内、そしてバルブステム１２の上端開口部１２ｋ迄はエアゾール容器内の内容物が流通する流通路が形成されており、図１の非作動状態においては、この流通路は、バルブステム１２の上方に設けられたオリフィス１２ｈがステムラバー１９の存在により封止された状態となっている。
【００３６】
即ち、この図１の非作動状態においては、バルブステム１２の下端の弁棒部１２ｖが最上位置に位置しており、この弁棒部１２ｖと相互に作用して流通路を封止するシールド部材１８の上下方向の貫通孔の内周壁に設けられた環状弁部１８ｖとの間に隙間が形成されてエアゾール容器内の内容物が定量室１５内及び流通路内に入り込み、貯留し、充満した状態となっている。
【００３７】
より詳細には、バルブステム１２の構成は、上下に長い棒状のものから成り、その略中央部から上方に向ってその軸芯部に流通路としての孔部１２ｔが形成され、この孔部１２ｔの略中央部やや下方にオリフィス１２ｈが穿孔されており、その下方外周面には環状鍔部１２ｆが設けられている。この環状鍔部１２ｆとシールド部材１８の上端面との間に付勢部材としてのコイルスプリング１３が介在され装備されている。
【００３８】
従って、このバルブステム１２は常に上方に付勢されており、図１の非作動状態においては、バルブステム１２のオリフィス１２ｈは、ステムラバー１９の存在により、その流通路が遮断され封止された状態となっている。
【００３９】
尚、上記定量噴射バルブ１０のハウジング１１は、その上端縁部がマウンティングカップ２０の略中央部によって加締められ挟持され固定されている。
従って、このハウジング１１の上端内周縁部とマウンティングカップ２０との間で上記ステムラバー１９が保持され、バルブステム１２のオリフィス１２ｈとの封止、開放作用を行い、エアゾール容器内の内容物の流通を阻止し且つ開放することができる。
【００４０】
次に本発明に係る特徴部分の一つである定量室１５について詳説する。
上記エアゾール容器に装備された定量噴射バルブ１０のハウジング１１の下方部分に定量室１５は設けられている。
この定量室１５は、ハウジング１１の下方部分で、その軸芯部に形成されている下方流通路１１ｔの外周に設けられている。
【００４１】
つまり、上記ハウジング１１の下方部分の上記下方流通路１１ｔの周壁１１ｗの外側に設けられている。
そして、その定量室１５内への内容物の流入及び排出を行う通路１５ｔは、定量室１５の天部１５ｓの前記下方流通路１１ｔの周壁１１ｗの側に形成されている。
【００４２】
更に、この定量室１５は２つの小室から形成されており、第１実施形態では、定量室１５は内側の内側定量室１５ｉと外側の外側定量室１５ｊとから形成されている。
即ち、この定量室１５は、その天部１５ｓから下方に垂下する環状仕切壁１５ｋによって内側定量室１５ｉと外側定量室１５ｊとに区画される。
従って、上記の定量室１５内への内容物の流入及び排出を行う通路１５ｔは、上記内側定量室１５ｉの上端部（天部）に形成されることとなる。
【００４３】
上記環状仕切壁１５ｋと定量室１５の底面との間には、連通路としての間隔又は隙間が設けられており、内側定量室１５ｉと外側定量室１５ｊがこの連通路を介して連通している。
この間隔が設けられていないと、内側定量室１５ｉと外側定量室１５ｊが連通せず、１つの定量室１５を形成することができない。
このように定量室１５を内側定量室１５ｉと外側定量室１５ｊとの二重構造とすることにより、この定量室１５の内容積を適宜必要に応じて大きく形成することができる。
【００４４】
次に、本発明に係る定量噴射バルブ１０の作動について図２を用いて詳説する。
図２は、上記図１の非作動状態においてバルブステム１２を矢印Ｄの方向に押下した状態を示し、定量室１５内の内容物がバルブステム１２の上端開口部１２ｋから吐出される。
【００４５】
詳細には、バルブステム１２が矢印Ｄの方向に押下されると、コイルスプリング１３が収縮し、バルブステム１２の下方部分の弁棒部１２ｖがシールド部材１８の貫通孔の内周壁に設けられた環状弁部１８ｖと係合して流通路が閉鎖され封止される。
【００４６】
同時に、バルブステム１２のオリフィス１２ｈがハウジング１１内の上方流通路１１ｒと連通し、内側定量室１５ｉ及び外側定量室１５ｊの内部に貯留した内容物が定量室１５の天部１５ｓに設けられた通路１５ｔを通過してハウジング１１内の上方流通路１１ｒを流通し、バルブステム１２のオリフィス１２ｈを通過し、バルブステム１２の上方の軸芯部の流通路としての孔部１２ｔを通過してバルブステム１２の上端開口部１２ｋから吐出されることとなる。
【００４７】
上記１回の押下動作により、定量室１５内及びハウジング１１の上方流通路１１ｒ内の内容物が排出、吐出され、この定量室１５の内容積を適宜設計することにより、適宜必要な一定のより大量の内容物を吐出することができる。
【００４８】
本発明において、定量室１５の内容積（定量室１５の小室の内容積の合計）は０．８ｍＬ以上であることが好ましい。内容積が０．８ｍＬ以上であると、使用実感が十分に得られ、過剰使用を防止できる。内容積は、０．８〜１０．０ｍＬの間で適宜設定することができる。
【００４９】
ここで、このような定量室１５の構成を採用したのは、上記した通り、適宜大きさの内容積を確保するためばかりではなく、このような定量室の二重構造により、その内部に貯留される内容物の液相及び気相の状態を適切なものとすることができ、これによって前記気相の圧力により定量室内の内容物をより完全に近いかたちで外部に吐出することができるからである。
【００５０】
（第２実施形態）
図３は、本発明の第２実施形態に係るエアゾール製品の定量噴射バルブの中央縦断面図であって、非作動状態及び保管時の状態を示している。
この図３に図示した定量噴射バルブ３０は、上記第１実施形態と基本的な構造は同じであり、充填用バルブ３３が設けられている点のみが異なっている。
【００５１】
この充填用バルブ３３は、エアゾール容器内へ内容物を充填する際に使用するもので、バルブステム１２を押下しつつ、エアゾール容器内へ内容物を充填する際に使用する。
この充填用バルブ３３は、柔軟な素材から成る環状ベルト３３ｂと、横穴３３ｈとから成り、強制的に内容物を充填することにより、上記環状ベルト３３ｂと横穴３３ｈとの封止が解除され、エアゾール容器内に内容物が充填される構造である。
その他の構成は、上記第１の実施形態と同じであるため、説明は省略する。
【００５２】
本発明において、定量噴射バルブの形状、サイズ及び材質等は適宜最も相応しいものを選択して利用することができる。
【００５３】
例えば、第１実施形態及び第２実施形態において、バルブステム１２の下方部の弁棒部１２ｖとシールド部材１８との封止に関しては、バルブステム１２が押下されることにより流通路が封止できればよく、シールド部材１８を別体に形成せずにハウジング１１の流通路の内部に環状弁部を設けて実施することもできる。
【００５４】
また、ハウジングの作製に関しても、上記実施形態においては、下方部材と上方部材とを合体させるようにして作製しているが、これに関しても自由に設計し、組み付けすることができる。
【００５５】
以上により本発明に係るエアゾール製品のエアゾール容器の構造・構成について説明したが、以下その内容物について説明する。
【００５６】
本発明者らの検討により、定量噴射型エアゾール製品の噴射不良について、その原因は不明であるが、内容物、とりわけ噴射剤の突沸現象が関与しているのではないかと推測される。本発明においては、エアゾール原液中に無水ケイ酸やシクロデキストリンのような粉末を混入させることによって、上記噴射不良を改善させることができた。
【００５７】
本発明のエアゾール製品の内容物は、エアゾール原液と噴射剤とから成る。エアゾール原液は、溶剤、粉末、有効成分等を含有する。
【００５８】
＜溶剤＞
エアゾール原液に用いられる溶剤としては、有機溶剤、水等が挙げられる。有機溶剤としては、例えば、高級脂肪酸エステル、及びアルコール類、もしくは炭化水素系溶剤、炭素数３〜６のグリコールエーテル類、及びケトン系溶剤等を挙げることができる。高級脂肪酸エステルとしては、炭素数の総数が１６〜２０のものが好ましく、例えば、ミリスチン酸イソプロピル、ミリスチン酸ブチル、ラウリン酸ヘキシル、パルミチン酸イソプロピル等が挙げられる。これらのうち、ミリスチン酸イソプロピルが特に好適である。アルコール類としては、エタノール、イソプロパノール等の炭素数が２〜３の低級アルコールが好ましい。炭化水素系溶剤としては、ｎ−パラフィン、及びイソパラフィンが好ましい。水としては、例えば、水道水、イオン交換水、純水、精製水等が挙げられる。これらは１種を単独で用いてもよく、２種以上を組み合わせて用いてもよい。
【００５９】
＜粉末＞
粉末は、従来公知のものが使用でき、その材質、形状、粒子径、粒子構造等は適宜選択できる。例えば、無機粉末、有機粉末、顔料等を挙げることができる。
無機粉末としては、例えば、無水ケイ酸（シリカ）、酸化チタン、炭酸カルシウム、ケイ酸マグネシウム、ケイ酸アルミニウム、メタケイ酸アルミン酸マグネシウム、酸化チタン、ゼオライト、タルク、カオリン、雲母、セリサイト、炭酸マグネシウム、硫酸カルシウム、ヒドロキシアパタイト、セラミックパウダー、チッ化ホウ素、二硫化モリブデン等が挙げられる。有機粉末としては、例えば、シクロデキストリン、ポリアミド樹脂粉末、ポリエチレン粉末、ポリスチレン粉末、ポリメタクリル酸メチル粉末、セルロース粉末、シリコーン樹脂粉末、クロルヒドロキシアルミニウム、トルナフテート、リドカイン、グルコン酸クロロヘキシジン等が挙げられる。顔料としては、例えば、二酸化チタン、酸化鉄、黄酸化鉄、カーボンブラック、群青、アルミニウムパウダー、カッパーパウダー等が挙げられる。これらは１種を単独で用いてもよく、２種以上を組み合わせて用いてもよい。これらの中でも、定量噴射エアゾールの噴射不良を改善させる点から、無水ケイ酸及びシクロデキストリンからなる群から選択される少なくとも１つの粉末を用いることが好ましい。
【００６０】
粉末の形状は、特に限定されないが、例えば、球状、棒状、板状、針状、不定形状、鱗片状、紡錘状等が挙げられる。これらの中でも、定量噴射バルブや噴射機構内における詰まりを防止する観点から球状の粉末が好ましい。
【００６１】
粉末の粒子径は、平均粒子径として０．１〜２０μｍであることが好ましく、１〜１０μｍがより好ましく、２〜５μｍが更に好ましい。粉末の平均粒子径が前記範囲であると、内容物を霧状等の所望の形態で噴射することができ、噴射パターンを乱すことがない。
【００６２】
粉末の比表面積は、１００〜１０００ｍ２／ｇであることが好ましく、１００〜８００ｍ２／ｇがより好ましく、２００〜８００ｍ２／ｇが更に好ましい。粉末の比表面積が前記範囲であると、噴射不良が改善しやすい。
【００６３】
また、粉末は多孔質、無孔質、中空のいずれであってもよい。
【００６４】
粉末の含有量は、エアゾール原液中０．００１〜５ｗ／ｖ％であることが好ましく、０．００５〜１ｗ／ｖ％がより好ましく、０．０１〜０．５ｗ／ｖ％が更に好ましく、０．０５〜０．５ｗ／ｖ％が特に好ましい。粉末を０．００１ｗ／ｖ％以上含有することにより本発明の効果を得られやすく、また５ｗ／ｖ％以下であると噴射不良が改善しやすい。
【００６５】
＜有効成分＞
有効成分は、所望の効果を付与するために含有される成分である。
有効成分としては、例えば、
ピレトリン、アレスリン、フタルスリン、レスメトリン、フラメトリン、フェノトリン、ペルメトリン、エムペントリン、プラレトリン、シフェノトリン、イミプロトリン、トランスフルトリン、メトフルトリン、モンフルオロトリン等のピレスロイド系化合物、フェニトロチオン、ジクロルボス、クロルピリホスメチル、ダイアジノン、フェンチオン等の有機リン系化合物、カルバリル、プロポクスル等のカーバメイト系化合物、ハッカ油、オレンジ油、ウイキョウ油、ケイヒ油、チョウジ油、テレビン油、ユーカリ油、ヒバ油、ジャスミンオイル、ネロリオイル、ペパーミントオイル、ベルガモットオイル、ブチグレンオイル、レモンオイル、レモングラスオイル、シナモンオイル、シトロネラオイル、ゼラニウムオイル、シトラール、ｌ−メントール、酢酸シトロネリル、シンナミックアルデヒド、テルピネオール、ノニルアルコール、ｃｉｓ−ジャスモン、リモネン、リナロール、１，８−シネオール、ゲラニオール、α−ピネン、ｐ−メンタン−３，８−ジオール、オイゲノール、酢酸メンチル、チモール、安息香酸ベンジル、サリチル酸ベンジル等の各種殺虫性の精油成分、その他メトプレン、ピリプロキシフェン、メトキサジアゾン、フィプロニル、アミドフルメト等の殺虫剤、
ｐ−メンタン−３，８−ジオール、ディート、ジ−ｎ−ブチルサクシネート、ヒドロキシアニソール、ＩＲ３５３５、イカリジン等の害虫忌避剤忌避剤、
トリクロサン等のフェノール系殺菌剤、トリクロロカルバニリド等のカーバニリド系殺菌剤、ジンクピリチオン等のピリジン系殺菌剤、塩化セチルピリジニウム、塩化ベンザルコニウム等のカチオン系殺菌剤、トリアルキルトリアミン等のアミン系殺菌剤等の殺菌剤、
ハッカ油、ペパーミント油、スペアミント油、イグサ、ヒノキ、シトロネラ、シトラール、シトロネラール、レモン、レモングラス、オレンジ、ユーカリ、ラベンダー等の精油成分からなる天然香料、ゲラニオール、シトロネラール、オイゲノール、ウンデカラクトン、リモネン、フェネチルアルコール等の人工香料、これら天然香料及び人工香料を調整して得られる調合香料等の芳香剤、
柿抽出物、緑茶抽出物、グレープフルーツ抽出物、グレープフルーツ種子抽出物、ユズ抽出物、モウソウチク抽出物、モウソウチク乾留物、ユズ種子抽出物、オレンジ抽出物、ルイボス茶抽出物、ユッカ抽出物、オリーブ葉エキス末、キトサン、ウーロン茶抽出物、ブドウ種子エキス、ムルレイヤエキス、シソオイル、チャ乾留物、甘草油性抽出物、シソの実エキス、からし抽出物、ブロッコリーパウダー、ショウガ抽出物、エゴノキ抽出物、カワラヨモギ抽出物、ホオノキ抽出物、レンギョウ抽出物、モミガラ抽出物、ペッパー抽出物、柑橘種子抽出物、生大豆抽出物、ピメンタ抽出物、果実抽出物、果実種子抽出物等の各種植物抽出物等の消臭剤
等が挙げられる。
【００６６】
有効成分の含有量は所望の効果を得られる限り特に限定されないが、例えば、エアゾール原液中に０．０１〜９９．９ｗ／ｖ％であることが好ましく、０．１〜９０ｗ／ｖ％がより好ましく、０．５〜７０ｗ／ｖ％が更に好ましい。
【００６７】
エアゾール原液は、上記した成分のうち粉末以外の液体成分を混合し、粉末を分散させて得られる。
【００６８】
＜噴射剤＞
本発明のエアゾール製品で用いる噴射剤としては、液化石油ガス（ＬＰＧ）、ジメチルエーテル（ＤＭＥ）、トランス−１，３，３，３−テトラフルオロプロパ−１−エン、トランス−２，３，３，３−テトラフルオロプロパ−１−エン等のハイドロフルオロオレフィン、窒素ガス、炭酸ガス、亜酸化窒素、圧縮空気等が挙げられる。上記の噴射剤は、単独又は混合状態で使用することができるが、ＬＰＧもしくはＤＭＥを主成分としたものが使い易いため好ましい。
【００６９】
エアゾール製品における、エアゾール原液と噴射剤との配合比は、所望の噴射形態（噴霧粒子の大きさ、噴射パターン、噴射圧、噴霧量等）に応じて適宜決定すればよい。
【００７０】
以上、本発明に関する実施形態について説明したが、本発明においては種々設計変更することができる。
【実施例】
【００７１】
以下、本発明に係るエアゾール製品の内容物に様々な粉末を混入させ、当該エアゾール製品の噴射状態に関する評価試験結果について説明する。【００７２】
Ａ．低温におけるベース処方での様々な粉末における評価試験
＜方法＞
（１）５℃条件下で一晩検体（エアゾール製品）を正立保管した。
（２）検体を取り出し、直後に噴射を行い、噴射状態の確認を行った。
（３）その後１日以上の間隔を開け、同様の試験を計５回行った。
（４）振らないと定量の全量噴射ができない噴射不良の割合を算出した。【００７３】
検体に関しては、下記表１乃至表３にその処方を示している。
エアゾール製品の有効成分としては、ハエ・カ・ゴキブリ等の殺虫成分であるトランスフルトリンを使用した。
試験する粉末の種類は、試験結果の表中に示している。【００７４】
【表１】
2019111961.tif 000003
【００７５】
【表２】
2019111961.tif 000004
【００７６】
【表３】
2019111961.tif 000005
【００７７】
エアゾール容器に関しては、下記通りである。
（ａ）バルブ：１ｍＬ定量噴射バルブ（上記第１実施形態）／充填用バルブ付き１ｍＬ定量噴射バルブ（上記第２実施形態）
（ｂ）噴射機構：噴口径φ２．０ｍｍ押下ボタン
（ｃ）エアゾール缶：ＡＥ２２０ブリキ缶（満注容量  ２８９ｍＬ）【００７８】
評価試験結果は以下の通りである。【００７９】
【表４】
2019111961.tif 000006
【００８０】
検体１、２は、充填用バルブ付き１ｍＬ定量噴射バルブを備えたエアゾール容器（上記第２実施形態）を用い、エアゾール原液に無水ケイ酸を混合した場合の試験結果である。
表４からわかる通り、検体３（粉末なし）の場合には、その噴射時の８０％が噴射不良を発生していたが、検体１、２では噴射不良が見られなかった。【００８１】
【表５】
2019111961.tif 000007
【００８２】
検体４〜７は、他の無水ケイ酸での試験結果である。
表５の結果から、検体４〜７はいずれも、検体３（粉末なし）に比べて噴射不良を低減することができ、特に検体４、６では噴射不良が見られなかった。【００８３】
【表６】
2019111961.tif 000008
【００８４】
検体８〜１１は、同様に無水ケイ酸以外の粉末での試験結果である。
表６の結果から、検体８〜１１はいずれも、検体３（粉末なし）に比べて噴射不良を低減することができ、特に検体８で噴射不良は見られなかった。【００８５】
【表７】
2019111961.tif 000009
【００８６】
検体１２〜１５は、無水ケイ酸に関して、充填用バルブの装備の有無での試験結果であり、換言すれば、上記第１実施形態（装備なし、１ｍＬ定量噴射バルブ）と上記第２実施形態（装備あり、充填用バルブ付き１ｍＬ定量噴射バルブ）に係る定量噴射バルブを備えた検体での試験結果を示している。
表７からわかる通り、検体１２〜１５はいずれも、粉末を含有しない検体１６、１７に比べて噴射不良を低減することができ、また、検体１６、１７はいずれの定量噴射バルブにおいても噴射不良の割合は同じであったが、粉末を含有する場合は充填用バルブ付き定量噴射バルブを備える検体１３、１５の方が、噴射不良を発生する割合が少なかった。【００８７】
Ｂ．他の様々な処方における評価試験
＜方法＞
（１）各温度条件下で一晩検体（エアゾール製品）を正立保管した。
（２）検体を取り出し、直後に噴射を行い、噴射状態の確認を行った。
（３）その後１日以上の間隔を開け、各検体を２〜５本ずつ、同様の試験を５回行った。
（４）振らないと噴射ができない噴射不良の割合を算出した。【００８８】
検体に関しては、下記表８乃至表１０にその処方を示している。【００８９】
【表８】
2019111961.tif 000010
【００９０】
【表９】
2019111961.tif 000011
【００９１】
【表１０】
2019111961.tif 000012
【００９２】
エアゾール容器に関しては、下記通りである。
（ａ）バルブ：１ｍＬ定量噴射バルブ（上記第１実施形態）
（ｂ）噴射機構：噴口径φ２．０ｍｍ押下ボタン
（ｃ）エアゾール缶：ＡＥ２２０ブリキ缶（満注容量  ２８９ｍＬ）【００９３】
評価試験結果は以下の通りである。【００９４】
【表１１】
2019111961.tif 000013
【００９５】
表１１からわかる通り、エアゾール原液中の粉末の含有量が多くなる程、噴射不良を発生する割合は少なくなる傾向にあった。
ただし、粉末を多く入れ過ぎると、バルブの作動不良（具体的に、バルブステムの動きが悪くなること）が生じることがあったが、エアゾール原液中の粉末量が処方１、２では０．５ｗ／ｖ％以下で、処方３では０．０５ｗ／ｖ％以下でほとんど見られなかった。そのため、処方にもよるが、粉末の含有量は、バルブの作動不良を生じさせないため、エアゾール原液中０．５ｗ／ｖ％以下であることが特に好ましいことが判明した。【００９６】
以上、本発明においては、エアゾール製品の定量噴射バルブ内の定量室をより大きなものとすることができ、また、それによる噴射不良を無くすために、内容物内にパウダーを混入させることにより前記噴射不良を排除させることができ、その定量室内の内容物をより完全に吐出させることのできる定量噴射型エアゾール製品を提供することができた。【００９７】
本発明を詳細にまた特定の実施態様を参照して説明したが、本発明の精神と範囲を逸脱することなく様々な変更や修正を加えることができることは当業者にとって明らかである。本出願は、２０１７年１２月５日出願の日本特許出願（特願２０１７−２３３５７４）に基づくものであり、その内容はここに参照として取り込まれる。
【符号の説明】
【００９８】
１０、３０  定量噴射バルブ
１１    ハウジング
１１ｒ  上方流通路
１１ｔ  下方流通路
１１ｗ  周壁
１２    バルブステム
１２ｈ  オリフィス
１２ｋ  上端開口部
１２ｔ  孔部
１２ｖ  弁棒部
１３    コイルスプリング
１５    定量室
１５ｉ  内側定量室
１５ｊ  外側定量室
１５ｋ  環状仕切壁
１５ｓ  天部
１５ｔ  通路
１７    ディップチューブ
１８    シールド部材
１８ｖ  環状弁部
１９    ステムラバー
２０    マウンティングカップ
【図１】
2019111961.tif 000014
【図２】
2019111961.tif 000015
【図３】
2019111961.tif 000016
【国際調査報告】
2019111961.tif 000017
2019111961.tif 000018
2019111961.tif 000019